(57)【要約】【課題】  従来よりも使い勝手がよく、洗浄剤を十分に泡立てることが可能で、しかも身体のマッサージのために使用することも可能な身体用手入れ具を提供すること。【解決手段】  この発明の身体用手入れ具は、柔軟性を有する薄板状の本体１の外面２に多数の突起３から構成されるブラシ部４を設けた身体洗浄部材５と、柔軟性を有する薄板状の本体６の外面７に多数の凸部８を設けたマッサージ部材９との間に、含ませた洗浄剤を泡立てられるようにした泡立て部材１０を設けたものとしている。【選択図】  図３
2006006598.tif 000002
【特許請求の範囲】
【請求項１】
柔軟性を有する薄板状の本体（１）の外面（２）に多数の突起（３）から構成されるブラシ部（４）を設けた身体洗浄部材（５）と、柔軟性を有する薄板状の本体（６）の外面（７）に多数の凸部（８）を設けたマッサージ部材（９）との間に、含ませた洗浄剤を泡立てられるようにした泡立て部材（１０）を設けたことを特徴とする身体用手入れ具。
【請求項２】
ブラシ部（４）の突起（３）は長さが異なるように設定した請求項１記載の身体用手入れ具。
【請求項３】
突起（３）は握った際の長手方向に向けて同じ長さのものが並ぶように設定した請求項２記載の身体用手入れ具。
【請求項４】
身体洗浄部材（５）とマッサージ部材（９）とが、泡立て部材（１０）を貫通する接続部材（１２）により接続されている請求項１、２又は３記載の身体用手入れ具。
【請求項５】
身体洗浄部材（５）に、泡立てられた洗浄剤が通る孔（１１）を設けた請求項１、２、３又は４記載の身体用手入れ具。
【発明の詳細な説明】
【技術分野】
【０００１】
この発明は、身体、特に首から下の身体全身体を洗ったりマッサージしたりするための身体用手入れ具に関するものである。
【背景技術】
【０００２】
従来より、シャワーを浴びたりお風呂に入る際には、手ぬぐいや垢すりに石鹸を付けて身体の表面を擦って洗う。しかし、手ぬぐいは使用後の水切れが悪く、絞らずにそのままにしておいたら雑菌が繁殖して清潔に保管できない。
【０００３】
一方、特許文献１に記載のような、入浴用のボディブラシとしてハンドル部51と毛部52とを有するものがあった。このボディブラシは、毛部52に石鹸を付けハンドル部51を握って身体を洗うことができる。ところが、使用後に水で洗って振っても密集した毛の間の水はなかなか切れにくく雑菌が繁殖するおそれがある。そのため、ブラシの毛部52とハンドル部51に抗菌防臭加工が施され衛生面の工夫がなされているものの、雑菌のおそれはなおも残っている。
【０００４】
そして、このボディブラシは身体を洗う際に力を入れにくく、あまり使い勝手がよくないという問題があった。
【０００５】
また、身体の汚れをよく落とすために、石鹸等の洗浄剤をよく泡立てて使用できるものが望まれていた。さらに、身体を洗浄するだけでなく、マッサージを行うことができるものも望まれていた。
【特許文献１】実開平６−４４４２９号公報（図１）
【発明の開示】
【発明が解決しようとする課題】
【０００６】
そこでこの発明は、従来よりも使い勝手がよく、洗浄剤を十分に泡立てることが可能で、しかも身体のマッサージのために使用することも可能な身体用手入れ具を提供しようとするものである。
【課題を解決するための手段】
【０００７】
前記課題を解決するためこの発明では次のような技術的手段を講じている。
【０００８】
(１)  この発明の身体用手入れ具は、柔軟性を有する薄板状の本体１の外面２に多数の突起３から構成されるブラシ部４を設けた身体洗浄部材５と、柔軟性を有する薄板状の本体６の外面７に多数の凸部８を設けたマッサージ部材９との間に、含ませた洗浄剤を泡立てられるようにした泡立て部材１０を設けたものとしている。
【０００９】
この身体用手入れ具は、全身体的に柔軟性を有しており、身体表面に沿ってしならせることが可能で、従来のハンドル部を握って洗うボディブラシとは異なり、直接握って身体洗浄部材５で身体を擦ることができるので、擦る場所などに応じて力の入れ具合の調整や加減を行いやすい。しかも、泡立て部材１０により、洗浄剤を十分に泡立てて使用することができ、また、マッサージ部材９により身体のマッサージのために使用することもできる。
【００１０】
ここで、ブラシ部４の突起３の長さを約３〜２０ｍｍ程度に設定すると、身体を洗いやすく且つマッサージ効果がある。
【００１１】
身体洗浄部材５とマッサージ部材９の材質として、シリコンエラストマー、シリコンゴム、スチレンゴム、二トリルゴム、アクリルゴム、エチレン酢酸ビニルゴムなどのゴム系のもの、シリコン樹脂やポリエチレン樹脂、ナイロン樹脂、ポリプロピレン樹脂などの軟質合成樹脂などを用いることができる。
【００１２】
(２)  前記ブラシ部４の突起３は長さが異なるように設定したこととしてもよい。
【００１３】
ブラシ部４の突起３の長さは全身体を同じに設定してもよいが、このように構成すると、長い突起３はソフトタッチとして足の指の間などに入れることができ、短い突起３で身体を強く擦りマッサージ効果を付与することができる。また、異なる長さとすると長い突起３と短い突起３とで肌触りが変わることとなり、さらに長い突起３と短い突起３とで身体の凹凸にうまくフィットさせることができる。
【００１４】
(３)  前記突起３は握った際の長手方向に向けて同じ長さのものが並ぶように設定したこととしてもよい。
【００１５】
このように構成すると、身体表面の起伏に沿わせて身体を擦り易い。
【００１６】
(４)  身体洗浄部材５とマッサージ部材９とが、泡立て部材１０を貫通する接続部材１２により接続されたものとしてもよい。
【００１７】
このように構成すると、身体洗浄部材５、マッサージ部材９及び泡立て部材１０が一身体的にしっかりと連結され、使い勝手のよいものとなる。
【００１８】
(５)  身体洗浄部材５に、泡立てられた洗浄剤が通る孔１１を設けてもよい。
【００１９】
このように構成すると、泡立て部材１０で泡立てられた洗浄剤が前記孔１１を通って身体洗浄部材５のブラシ部４に出てくるようになる。
【発明の効果】
【００２０】
この発明は上述のような構成であり、次の効果を有する。
【００２１】
擦る場所などに応じて力の入れ具合の調整や加減を行いやすいので、従来よりも使い勝手がよく、また、洗浄剤をよく泡立てて使用することができ、しかも身体のマッサージのために使用することが可能である。
【発明を実施するための最良の形態】
【００２２】
この発明の身体用手入れ具は、柔軟性を有する薄板状の本体１の外面２に多数の突起３から構成されるブラシ部４を設けた身体洗浄部材５と、柔軟性を有する薄板状の本体６の外面７に多数の凸部８を設けたマッサージ部材９との間に、含ませた洗浄剤を泡立てられるようにした泡立て部材１０を設けたものである。
【００２３】
以下、この発明の好適な実施の形態を、図面を参照して説明する。
【００２４】
図１はこの発明の実施形態の身体用手入れ具の正面図（身体洗浄部材５を設けた側）、図２は背面図（マッサージ部材９を設けた側）、図３は右側面図、図４は泡立て部材１０の斜視図である。
【００２５】
身体洗浄部材５は、ブラシ部４を設けた面を身体表面に沿ってしならせることができるように柔軟性を有するものとしており、その材質として硬度が５０度程度のシリコンエラストマーを用い一身体成型したが、シリコンゴム、スチレンゴム、二トリルゴム、アクリルゴム、エチレン酢酸ビニルゴムなどのゴム系のもの、シリコン樹脂やポリエチレン樹脂、ナイロン樹脂、ポリプロピレン樹脂などの軟質合成樹脂などを用いることができる。
【００２６】
前記ブラシ部４の突起３の長さは約３〜２０ｍｍ程度に設定しており、身体を洗いやすく且つマッサージ効果がある。また、前記ブラシ部４の突起３は長さが異なるように設定したこととしている。具身体的には８ｍｍ、１２ｍｍ〜１２．８ｍｍの２種類に設定している。前記突起３は、握った際の長手方向に向けて同じ長さのものが並ぶように設定している。
【００２７】
前記本体１は、先端側が薄く（２ｍｍ程度）後端側が厚い（１０ｍｍ程度）形状としている。また、身体洗浄部材５には、泡立てられた洗浄剤が通る孔１１が設けられている。
【００２８】
マッサージ部材９は、身体洗浄部材５の本体１と同様の素材で同形状に構成した本体６の片面に、多数の凸部８を設けたものとしている。凸部８は、縦、横、高さがそれぞれ数ｍｍ程度で、本体６と一体成形されている。
【００２９】
身体洗浄部材５とマッサージ部材９とは、互いの内面側に形成された接続部材１２で接続されたものとなっており、一体成形により製造することができる。接続部材１２は丸棒状で泡立て部材１０の厚みに対応した長さを有するものとしている。
【００３０】
泡立て部材１０はスポンジ製で、連続気泡を有するものとしている。この泡立て部材１０は、水や湯で濡らして洗顔剤を含ませた状態にし、そして両側の身体洗浄部材５とマッサージ部材９を手で押すことにより、きめ細かい泡ができるようになっている。
【００３１】
泡立て部材１０の素材は発泡ウレタンとすることができる。泡立て部材１０は、横断面が身体洗浄部材５及びマッサージ部材９の本体１、６と同形状で、厚みが数ｃｍとしている。
【００３２】
泡立て部材１０の中央の前部、後部には、上面から後面に貫通する取付孔１３が設けられており、この取付孔１３に前記接続部材１２を通している。泡立て部材１０は、図４に示したように、前端部、後端部からそれぞれ前記取付孔１３へ達する切れ込み１４が形成されており、泡立て部材１０を前後方向に縮めた状態にして、各接続部材１２を前記切れ込み１４から取付孔１３に入れることにより、身体洗浄部材５とマッサージ部材９との間に固定されるようにしている。
【００３３】
次に、この実施形態の身体用手入れ具の使用状態を説明する。
【００３４】
この身体用手入れ具は、身体洗浄部材５、マッサージ部材９及び泡立て部材１０がいずれも柔軟性を有しており、身体洗浄部材５を身体表面に沿ってしならせることができる。そのため、従来のハンドル部を握って洗うボディブラシとは異なり、直接握って身体を擦ることができるので、擦る場所などに応じて力の入れ具合の調整や加減を行いやすく、従来よりも使い勝手がよいという利点がある。
【００３５】
ブラシ部４の突起３の長さは全身体を同じに設定してもよいが、長さが異なるように設定すると、長い突起３（図１の網点で示した箇所）はソフトタッチとして足の指の間などに入れることができ、短い突起３（図１の白抜きで示した箇所）で身体を強く擦りマッサージ効果を付与することができる。また、異なる長さとすると長い突起３と短い突起３とで肌触りが変わることとなり、さらに長い突起３と短い突起３とで身体の凹凸にうまくフィットさせることができるという利点がある。
【００３６】
また、前記突起３は長手方向に向けて同じ長さのものが並ぶように設定しており、身体表面の起伏に沿わせて身体を擦り易いという利点がある。
【００３７】
身体洗浄部材５、マッサージ部材９の本体１、６は先端側が薄く後端側が厚い形状としており、握ったときの安定感がありまた指先で先端側を曲げて洗う部分にフィットさせることができるという利点がある。
【００３８】
この身体用手入れ具は、手のひらにフィットして収まるサイズで適度な重さで使い易く、身体洗浄部材５やマッサージ部材９は首から下の全身の洗浄に使用できる柔らかいシリコンエラストマー製のものであり、ブラシ状の突起３で足の裏などをごしごし擦ることができ、肌表面の汚れや古い角質を無理なく除去することができる。タオルや従来のボディブラシよりも水切れがよく、清潔で洗いやすい。
【００３９】
さらに、両側の身体洗浄部材５とマッサージ部材９を手で押すことにより、泡立て部材１０からきめ細かい洗浄剤の泡が発生し、前記孔１１を通ってブラシ部４に出てくるので、身体の汚れをよく落とすことができる。
【００４０】
また、マッサージ部材９で身体をマッサージすることにより、血行をよくしてセリュライト（皮下組織の脂肪細胞に水分や老廃物がたまったもの）を縮小させることができる。
【００４１】
なお、身体洗浄部材５、マッサージ部材９及び泡立て部材１０は、後端部の左右に突出部１５を設けている。この身体用手入れ具は、後端部を下にして立てられるようになっており、その際、前記突出部１５によって、身体用手入れ具と床面との間に隙間ができるので、身体用手入れ具の水切りを行うことができる。
【図面の簡単な説明】
【００４２】
【図１】この発明の実施形態の身体用手入れ具の正面図である。
【図２】この発明の実施形態の身体用手入れ具の背面図である。
【図３】この発明の実施形態の身体用手入れ具の右側面図である。
【図４】この発明の実施形態の身体用手入れ具の泡立て部材の斜視図である。
【符号の説明】
【００４３】
１  身体洗浄部材の本体
２  身体洗浄部材の外面
３  突起
４  ブラシ部
５  身体洗浄部材
６  マッサージ部材の本体
７  マッサージ部材の外面
８  凸部
９  マッサージ部材
１０  泡立て部材
１１  洗浄剤が通る孔
１２  接続部材
【図１】
2006006598.tif 000003
【図２】
2006006598.tif 000004
【図３】
2006006598.tif 000005
【図４】
2006006598.tif 000006